(57)【要約】【課題】  小型のマグネットを用いて強い吸着力を有し、かつ係止物の表面の記載を読み取り易くしたマグネットホルダーを提供する。【解決手段】  内部にマグネットＭを収納し下部に被着体７０に吸着する吸着面１３１を有し、非吸着時には前記吸着面１３１が被着体の表面との間に間隙Ｄ１を有している吸着部１３を構成し、前記吸着部１３と円形の押圧部１１を３個の棒状部材の連結部１２によって連結してなり、前記連結部１２と押圧部１１の全部を透明材質によって構成したマグネットホルダー。【選択図】図１
2010155364.tif 000002
【特許請求の範囲】
【請求項１】
マグネットを備え被着体に吸着する吸着面を有する吸着部と、この吸着部と連結して係止物を被着体に押圧する押圧部と、前記吸着部と押圧部を連結する連結部とからなるマグネトホルダー。
【請求項２】
前記吸着部の吸着面を、非吸着時には被着体の表面との間に間隙を有して構成したことを特徴とする請求項１記載のマグネットホルダー。
【請求項３】
前記押圧部を円形に構成して吸着部を押圧部の内側に配置し、前記連結部を３個の棒状部材によって構成したことを特徴とする請求項１又は２記載のマグネットホルダー。
【請求項４】
前記押圧部を円形に構成して吸着部を押圧部の内側に配置し、前記連結部を押圧部と吸着部の間に介在する板状部材によって構成したことを特徴とする請求項１又は２記載のマグネットホルダー。
【請求項５】
前記押圧部を２本の棒状部材によって構成し、この押圧部の夫々に連結部の先端を固定し、かつ連結部の他端を吸着部に固定してなり、前記２本の押圧部の間に吸着部を配置したことを特徴とする請求項１又は２記載のマグネットホルダー。
【請求項６】
前記押圧部を両端が上方に湾曲した長尺の板状部材によって構成すると共に、中央に吸着部が通過するための孔を穿設し、前記連結部を両端が下方に湾曲した長尺の板状部材によって構成すると共に、中央に吸着部を取り付け、前記押圧部と連結部の両端の夫々を互いに連結して側面視略楕円形状に構成したことを特徴とする請求項１又は２記載のマグネットホルダー。
【請求項７】
前記押圧部と連結部の一部又は全部が透明材質よりなることを特徴とする請求項１又は２又は３又は４又は５又は６記載のマグネットホルダー。
【発明の詳細な説明】
【技術分野】
【０００１】
本発明は、マグネットホルダーに係り、特に強い吸着力を有しかつ係止物の表面の記載を読み取り易くしたマグネットホルダーに関する。
【背景技術】
【０００２】
従来より、各種用紙をホワイトボード等に掲示するときにマグネットホルダーが用いられている。このマグネットホルダーは、樹脂等からなる円形あるいは長方形の本体の一面にマグネットを固定して構成し、このマグネットの接着力を利用して用紙の貼り付けを行うのである。
【０００３】
例えば、特許文献１記載のマグネットホルダー（１０）は、マグネット（１１）を保持する本体（１２）にマグネットを受容する受容部（１７）を形成するとともに、この受容部（１７）に前記マグネットと係脱可能な係合部（１８）を設けてマグネットを着脱自在としたことを特徴とするものである。
この発明によれば、本体（１２）とマグネット（１１）とを容易に分離することを可能として現代的な要請を満足することのできるマグネットホルダーが得られる。
【特許文献１】特開２０００−１９０６７１
【０００４】
しかしながら、上記特許文献１記載の発明では、大きな吸着力を得るためには大型のマグネットが必要となり、また本体（１２）によって貼り付けられた用紙が隠されて見えなくなるという問題点があった。
【発明の開示】
【発明が解決しようとする課題】
【０００５】
本発明は上記の点に鑑みなされたものであり、小型のマグネットを用いて強い吸着力を有し、かつ係止物の表面の記載を読み取り易くしたマグネットホルダーを提供することを目的とする。
【課題を解決するための手段】
【０００６】
本発明の要旨とするところは、マグネットを備え被着体に吸着する吸着面を有する吸着部と、この吸着部と連結して係止物を被着体に押圧する押圧部と、前記吸着部と押圧部を連結する連結部とからなるマグネトホルダーである。
【０００７】
本発明の要旨とするところは、前記吸着部の吸着面を、非吸着時には被着体の表面との間に間隙を有して構成したマグネットホルダーである。
【０００８】
本発明の要旨とするところは、前記押圧部を円形に構成して吸着部を押圧部の内側に配置し、前記連結部を３個の棒状部材によって構成したマグネットホルダーである。
【０００９】
本発明の要旨とするところは、前記押圧部を円形に構成して吸着部を押圧部の内側に配置し、前記連結部を押圧部と吸着部の間に介在する板状部材によって構成したマグネットホルダーである。
【００１０】
本発明の要旨とするところは、前記押圧部を２本の棒状部材によって構成し、この押圧部の夫々に連結部の先端を固定し、かつ連結部の他端を吸着部に固定してなり、前記２本の押圧部の間に吸着部を配置したマグネットホルダーである。
【００１１】
本発明の要旨とするところは、前記押圧部を両端が上方に湾曲した長尺の板状部材によって構成すると共に、中央に吸着部が通過するための孔を穿設し、前記連結部を両端が下方に湾曲した長尺の板状部材によって構成すると共に、中央に吸着部を取り付け、前記押圧部と連結部の両端の夫々を互いに連結して側面視略楕円形状に構成したマグネットホルダーである。
【００１２】
本発明の要旨とするところは、前記押圧部と連結部の一部又は全部が透明材質よりなるマグネットホルダーである。
【発明の効果】
【００１３】
請求項１の発明は、マグネットを備え被着体に吸着する吸着面を有する吸着部と、この吸着部を支持する押圧部と、前記吸着部と押圧部を連結する連結部からなるため、従来のマグネットホルダーのマグネットより小さいマグネットを使用でき、マグネットだけでなく押圧部によっても係止物を被着体に圧着することができるため、係止物の係止面積と係止力を増加することが可能となる。
【００１４】
請求項２の発明は、非吸着時つまり通常の状態では、吸着部の下部の吸着面と被着体表面すなわち押圧部の押圧面との間に所定距離の間隙を構成してあるから、吸着時には連結部が湾曲してスプリングの作用をするため、押圧部が被着体に強固に圧着されるのである。
【００１５】
請求項３の発明は、押圧部が円形で連結部が３個の棒状部材からなるため形状が安定していて、マグネットの吸着力が無駄なく発揮され、係止物を被着体上に効率的に係止できる。
またマグネットホルダーによって係止物の表面を覆い隠す面積が小さくなるので、係止物上の文字や図形が読みやすい。
さらには、押圧部と吸着部との間に開放部分が多いため、あやまって幼児が飲み込んでしまっても気道の確保ができ安全である。
【００１６】
請求項４の発明は、押圧部が円形で連結部が板状部材からなるため、形状が安定していてマグネットの吸着力が無駄なく発揮され、係止物を被着体上に効率的に係止できる。また連結部によるスプリング効果が大きいという効果も有する。
【００１７】
請求項５の発明は押圧部を２本の棒状部材によって構成し、押圧部の間に吸着部を配置したため、紙の上辺のように長い部分を係止する場合に効果的である。
【００１８】
請求項６の発明は、押圧部と連結部を両端が湾曲した長尺の板状部材によって構成し、押圧部と連結部の両端の夫々を互いに連結して側面視略楕円形状に構成したため、紙の上辺のように長い部分を係止する場合に効果的であると共に、押圧部のスプリング効果が大きいのである。
【００１９】
請求項７の発明は、前記連結部と押圧部の一部又は全部が透明材質よりなるため、係止物の文字や図形が覆い隠されず見やすくなる。
【発明を実施するための最良の形態】
【００２０】
本発明を実施するための最良の形態は、内部にマグネットを収納し下部に被着体に吸着する吸着面を有し、非吸着時には前記吸着面が被着体の表面との間に間隙を有している吸着部を構成し、前記吸着部と円形の押圧部を３個の棒状部材の連結部によって連結してなり、前記連結部と押圧部を透明材質によって構成したマグネットホルダーである。
【実施例１】
【００２１】
以下、本発明の実施例１を図に基づいて説明する。
図１は実施例１の斜視図、図２は同平面図、図３は同中央縦断面図、図４は図３においてつまみ部を吸着部より外した状態の説明図、図５は実施例１の使用状態を示す一部切欠側面図及び図６は同正面図である。
【００２２】
本実施例の押圧部１１は、円形のプラスチックよりなる。直径は約３ｃｍであり、断面は略半楕円形状であり底面は被着体であるホワイトボード７０に密着して圧着する押圧面１１８を構成している。
【００２３】
この押圧部１１の材質、形状、大きさあるいは断面形状などは本実施例に限定されず任意に決定できる。
例えば押圧部１１の形状は、図１３に示すように、（ａ）四角形、（ｂ）楕円形、（ｃ）三角形、あるいは（ｄ）２本の並行な棒状の押圧部の間に吸着部を連結部材で連結した形状などが選択できる。そして連結部も図示のように構成することができる。図１３中、１１０は押圧部、１２０は連結部、１３０は吸着部を表している。
また、押圧部１１を薄い板状とした場合には、後述のように押圧された紙７３上の文字や図形７５が見えやすくなる。
材質はプラスチック、金属などが使用できる。大きさも自由に決定できるが、マグネットの磁力が強さに比例して大きくすることができる。また本実施例では押圧部と連結部を透明材質としている。
【００２４】
前記押圧部１１の内側中央には、吸着部１３が３個の棒状部材からなる連結部１２によって固定されている。
この吸着部１３は、底面に吸着面１３１を構成し、内部にマグネットＭを収納し、上部につまみ部１４を着脱可能に固定している。このつまみ部１４は、あらかじめ吸着部１３と一体に構成してもよく、その形状も任意である。
【００２５】
前記マグネットＭは、例えばネオジウム磁石のように強力な磁力を有するものを使用している。そのため、マグネットを従来品より小さくすることができるため吸着部１３も小さくなり、紙７３が覆い隠される面積が小さくなるのである。
【００２６】
前記マグネットＭの上方には、つまみ部１４の係合部１４１の収納スペース１３２が構成されている。符号１３３は係合段部である。
【００２７】
前記押圧部１１と吸着部１３を連結する連結部１２は、図４に示すように中央上方に向かって傾斜しており、吸着部１３を少し持ち上げるように支持していて、吸着部１３の下部の吸着面１３１と、押圧部１１の押圧面１１８を延長した面Ｆ、すなわちホワイトボード７０の表面との間に所定の間隙Ｄ１を有している。
【００２８】
この間隙Ｄ１を設けることにより、後述のようにスプリング効果が発生するが、マグネットＭの磁力に応じて、間隙Ｄ１を設けずに吸着面１３１を押圧面１１８を延長した面Ｆと同一面上になるように構成しても良い。
【００２９】
前記連結部１２は、本実施例では３個の棒状部材を使用したが、これに限定されず、必要に応じて１個から複数個を選択できる。
【００３０】
次に、本実施例の作用について説明する。
まず、図３、図４に示すように、つまみ部１４を吸着部１３に嵌合固定する。このときつまみ部１４の係合部１４１を吸着部１３上部の収納スペース１３２へ挿入し、係合段部１３３に係合部１４１の上面１４２を係合させて固定する。この状態で、前記係合部１４１の先端は、マグネットＭの上端に接触している。
【００３１】
この状態で、図５、図６に示すように、被着体であるホワイトボード７０上の係止物である紙７３の上からマグネットホルダー１を吸着させる。このときつまみ部１４を押すと、吸着部１３の吸着面１３１がホワイトボード７０上に押し付けられて強固に吸着する。
このとき吸着部１３は、間隙Ｄ１だけホワイトボード７０側に移動するから、連結部１２はそれに追随して湾曲する。そのため連結部１２にスプリング効果が生じ、押圧部１１はホワイトボード７０の表面を強く押圧するのである。
【００３２】
このように実施例１によれば、吸着面積の小さい吸着部１３によって、押圧部１１までもホワイトボード７０上に強く圧着することができるから、紙７３の係止面積が増えて係止する効果が大きくなるのである。
また、押圧部１２，１２，１２の間に開放部分１５があるため、そこからは紙７３上に記載された文字や図形７５が見える。さらに本実施例では、押圧部と連結部を透明材質としているので、従来のマグネットホルダーのように文字や図形が隠れることなく発表や展示の際に効果を発揮する。
さらには幼児があやまって飲み込んでも空間１５によって気道の確保ができ安全であるというメリットもある。
【実施例２】
【００３３】
本発明の実施例２を説明する。図７は実施例２の使用状態の正面図である。この実施例のマグネットホルダー２は、連結部１２を１個だけとして構成した。他の構成は実施例１と同様であるので説明を省略する。
本実施例によれば、実施例１に比べて吸着力は小さくなるが構成が簡易となり、文字や図形７５が隠れる面積も小さくなるというメリットがある。
【実施例３】
【００３４】
本発明の実施例３を説明する。図８は実施例３の中央縦断面図である。
この実施例のマグネットホルダー３は、前記実施例１において、押圧部１１と吸着部１３を連結する連結部３２を水平に構成している。そして吸着部１３の下部の吸着面１３１を、押圧部１１の押圧面１１８を延長した面Ｆと同一面上に配置している。他の構成は実施例１と同様であるため説明を省略する。
本実施例によれば、実施例１のように連結部１２のスプリング効果は生じないが、マグネットＭが強力な場合は十分な吸着力が得られ、かつ押圧部１１による圧着効果も得られる。
【実施例４】
【００３５】
本発明の実施例４を説明する。図９は実施例４の斜視図、図１０は同平面図、図１１は同一部切欠側面及び図１２は同使用状態を示す中央縦断面側面図である。
本実施例のマグネットホルダー４は、押圧部１１と吸着部１３の間に介在する連結部４１を透明の板状部材によって構成した。すなわち連結部４１が押圧部１１と吸着部１３との間に全面にわたって構成されているのである。
【００３６】
前記連結部４１は、ガラスの鍋蓋のように中心の吸着部１３を頂点として上方に湾曲しているため、ホワイトボード７０に平行に取り付けた場合よりスプリング効果が大きいのである。
【００３７】
また、連結部４１が板状部材であるため、前記棒状部材の連結部よりスプリング効果が大きく、かつ紙７３の文字や図形の反射を防ぐ効果があるため、さらに見やすくなるという効果がある。
この連結部４１も実施例１と同様に吸着面１３１の下方に間隙Ｄ２を設けているが、前記実施例３の連結部３２と同様に連結体４１を水平に構成して、間隙Ｄ２を構成せずに、吸着面１３１を押圧面１１８を延長した面Ｆと同一面上に構成することもできる。
【実施例５】
【００３８】
本発明の実施例５を説明する。図１４は実施例５の斜視図、図１５は同側面図及び図１６は同使用状態を示す一部切欠側面図である。
本実施例のマグネットホルダー５は、押圧部５１を２本の棒状部材によって構成し、間隔を置いて一直線に配置してなり、この押圧部５１の夫々に２本の湾曲した連結部５２の先端を固定し、かつこれら連結部５２の他端を吸着部５３の側部に固定してなり、前記２本の押圧部５１の間に、内部にマグネットＭと下面に吸着面５３１を構成した吸着部５３を間隙Ｄ３を有して配置している。なお本実施例では、つまみ部５４と吸着部５３を一体に成型してある
【００３９】
本実施例によれば、紙の上辺のように長い部分を一度に係止する場合に効果的である。その他の作用、効果は前記実施例１と同様であるので省略する。
【実施例６】
【００４０】
本発明の実施例６を説明する。図１７は実施例６の斜視図、図１８は同側面図及び図１９は同使用状態を示す一部切欠側面図である。
本実施例のマグネットホルダー６は、押圧部６１を両端が上方に湾曲した長尺の板状部材によって構成し、その中央に吸着部６３が通過するための孔６１０を穿設してある。そして連結部６２を両端が下方に湾曲した長尺の板状部材によって構成し、その中央に、内部にマグネットＭと下面に吸着面６３１を構成した吸着部６３を間隙Ｄ４を有して取り付けている。
前記押圧部６１と連結部６２の両端の夫々を互いに連結して側面視略楕円形状に構成してある。
【００４１】
本実施例によれば、紙の上辺のように長い部分を一度に係止する場合に効果的であると共に、湾曲した押圧部６１と連結部６２によって、押圧部６１のスプリング効果が大きく、強い力で係止物を係止することができる。その他の作用、効果は前記実施例１と同様であるので省略する。
【図面の簡単な説明】
【００４２】
【図１】本発明の実施例１の斜視図
【図２】本発明の実施例１の平面図
【図３】本発明の実施例１の中央縦断面図
【図４】図３のつまみ部を吸着部より外した状態の説明図
【図５】本発明の実施例１の使用状態を示す一部切欠側面図
【図６】本発明の実施例１の使用状態を示す正面図
【図７】本発明の実施例２の使用状態の正面図
【図８】本発明の実施例３の中央縦断面図
【図９】本発明の実施例４の斜視図
【図１０】本発明の実施例４の平面図
【図１１】本発明の実施例４の一部切欠側面図
【図１２】本発明の実施例４の使用状態を示す中央縦断面側面図
【図１３】押圧部と連結部の他例を示す模式図
【図１４】本発明の実施例５の斜視図
【図１５】本発明の実施例５の側面図
【図１６】本発明の実施例５の使用状態を示す一部切欠側面図
【図１７】本発明の実施例６の斜視図
【図１８】本発明の実施例６の側面図
【図１９】本発明の実施例６の使用状態を示す一部切欠側面図
【符号の説明】
【００４３】
１  マグネットホルダー
２  マグネットホルダー
３  マグネットホルダー
４  マグネットホルダー
５  マグネットホルダー
６  マグネットホルダー
１１  押圧部
１２  連結部
１３  吸着部
１３１  吸着面
７０  被着体（ホワイトボード）
Ｍ  マグネット
Ｄ１  間隙
【図１】
2010155364.tif 000003
【図２】
2010155364.tif 000004
【図５】
2010155364.tif 000005
【図９】
2010155364.tif 000006
【図１０】
2010155364.tif 000007
【図１１】
2010155364.tif 000008
【図１３】
2010155364.tif 000009
【図１４】
2010155364.tif 000010
【図１５】
2010155364.tif 000011
【図１７】
2010155364.tif 000012
【図１８】
2010155364.tif 000013
【図３】
2010155364.tif 000014
【図４】
2010155364.tif 000015
【図６】
2010155364.tif 000016
【図７】
2010155364.tif 000017
【図８】
2010155364.tif 000018
【図１２】
2010155364.tif 000019
【図１６】
2010155364.tif 000020
【図１９】
2010155364.tif 000021